(57)【特許請求の範囲】
【請求項１】
複数の座席それぞれへの在席状況を検知し、
前記在席状況の変化を検知し、
検知された変化があった座席である対象座席について、関連する照明を特定して、当該照明の点灯状況を検知し、
前記対象座席について、関連する座席の在席状況を検知し、
検知された照明の点灯状況および検知された在席状況に従って、前記照明に対する制御を行う照明制御方法であって、
前記複数の照明それぞれについて、当該照明の点灯状況を含むデータを、最寄りの座席と対応付けて、各座席の集合単位である座席グループを区別できる形で、前記照明のそれぞれの配置位置における近接具合に応じたレコード配置となるようテーブルに格納しておき、
前記在席状況の変化が在席であり、当該在席の座席の属する座席グループに所定人数以上在席の場合、前対象座席との配置が最寄りの照明の点灯状況を、前記テーブルから検知し、
前記最寄りの照明が点灯していないことを示す場合、前記テーブルにおいて、前記対象座席のデータである第１のデータのレコードに隣接するレコードに記録された第２のデータの示す点灯状況を検知し、
前記隣接データの点灯状況が点灯していないことを示す場合、前記対象座席の座席グループに点灯している照明があるかを、前記テーブルを用いて判断し、
前記判断の結果、点灯している照明が無い場合、前記第１のデータにより特定される最寄りの照明を点灯し、
前記判断の結果、点灯している照明がある場合、点灯している照明と、前記第２のデータで特定される照明が異なるかを判定し、
前記判定の結果、異なる場合、前記第１のデータにより特定される最寄りの照明を点灯し、
前記判定の結果、異ならない場合、前記点灯している照明を消灯し、前記第２のデータで特定される照明を点灯することを特徴とする照明制御方法。
【発明の詳細な説明】
【技術分野】
【０００１】
本発明は、オフィス等の複数の照明機器の点灯、消灯などを制御するための技術に関する。
【背景技術】
【０００２】
従来から省エネルギーなどの観点で、照明機器の制御を行うための技術が提案されている。例えば、特許文献１では、在席者が密集する場合でも在席者の快適性を維持しながら省エネルギー化を図る技術が開示されている。特許文献１では、それまで在席者頭上の調光率を１００％としていた場合、在席者が密集すると過剰点灯となる問題を解決するための技術が開示されている。このために、特許文献１では、在席状態に基づいて、在席密集度を座席毎に算出し、これに基づいて照明の制御を行っている。
【先行技術文献】
【特許文献】
【０００３】
【特許文献１】特開２０１１−３４９３４号公報
【発明の概要】
【発明が解決しようとする課題】
【０００４】
ここで、オフィス等の複数の照明機器を制御する場合、照明機器や照明を利用する人間の配置や時間帯などの様々な要因により、求められる照明制御の内容が異なってくる。また、この点を解消するためにきめ細かな制御を行うとすると、その制御の効率化が求められる。しかしながら、特許文献１では、この点の問題意識はなく、きめ細かな制御やそれに伴う制御の効率化について、考慮されていない。
【課題を解決するための手段】
【０００５】
上記の課題を解決するために、本発明では、在席状況の変化を検知し、検知された変化に対応する座席に関連する照明機器の点灯状況および関連する座席の在席状況に従って、関連する照明機器の制御を行う。この際、関連する照明機器は、その座席からの配置関係(例えば、距離)に応じて、定められるものである。例えば、第1の照明（最寄の照明）、第2の照明（近距離の照明）および第3の照明（同じ座席Grの照明）からなる。
【０００６】
また、本発明には、座席と照明の配置関係を特定して、上記の制御を行うことも含まれる。この際、この配置関係を、各照明に関するデータを管理するテーブルにおける格納状況によって、判断することも含まれる。すなわち、テーブルにおいて、各照明に関するデータを、その配置の相対関係に従ったレコード順に格納しておき、配置関係を把握する際、このレコード順に従って、把握することも、本発明の一態様に含まれる。
【発明の効果】
【０００７】
本発明によれば、オフィス等の実情に即したきめ細かな照明制御を実現することが可能になる。
【図面の簡単な説明】
【０００８】
【図１】本発明の一実施形態の概念を説明するための図である。
【図２】本発明の一実施形態のシステム構成図である。
【図３】本発明の一実施形態の処理内容を説明するフローチャートである。
【図４】本発明の一実施形態で用いる時刻管理テーブルを示す図である。
【発明を実施するための形態】
【０００９】
本発明の一実施形態について、以下図面を用いて説明する。
図1は、本実施形態の概念を説明するための図面である。図１は、本発明を、業務などのフロアーにおける照明の制御に適用した例であり、符号１００１等のそれぞれが従業員の各机(座席）を示している。そして、各座席の集合（符号１００等）が座席グループ（以下、座席Gｒ）を示す。この座席Grそれぞれについて、照明機器が対応付けて管理されており、座席への在席（着席）状況に応じて、照明機器を制御している。例えば、図１の座席Gr１００について、座席１００１への在席を検知した場合、照明ａを点灯する（他は消燈）。以下、この詳細をフローチャートおよびシステム構成図を用いて説明する。
【００１０】
まず、前提として、本実施形態のシステム構成を図２を用いて説明する。本実施形態では、照明制御装置１０、在席状況を検地するシステム２０からなり、それぞれネットワークないし制御線で接続されている。以下にフローチャートを用いて説明する。本実施形態での処理は、照明制御装置１０ないし在席検知システム２０で実施されるものであり、その内容は当該照明制御装置１０および在席検知システム２０が有するＣＰＵ（演算装置）が、プログラムに従って実行される。
次に、図３に示すフローチャートを用いて、本実施形態の処理の詳細を説明する。
【００１１】
まず、Ｓ０１において、在席検知システム２０が、図示しない各机に設置したＰＣへのログイン状況を用いて、在席状況を確認している。この結果、在席を検知した場合、Ｓ０２に進む。検知していない場合には、確認を継続する。
【００１２】
次に、Ｓ０２において、在席検知システム２０が現在時刻を確認する。つまり、図４に示す時刻管理テーブルＴ０１０＿ＴＢＬに定義された第１の範囲内の時間かを判断する。本例では、２４：００−０８：００ないし１８：３０−２４：００（つまり、１８：３０から翌日の０８：３０）の間かを判断する。この結果、範囲外（つまり、０８：３０−１８：３０の間）の場合には、Ｓ０４に進む。範囲内の場合には、Ｓ０３に進む。
【００１３】
次に、Ｓ０３において、座席検知システム２０は、現在時刻が第２の範囲内かを判断する。本例では、図４に示す時刻管理テーブルＴ０１０＿ＴＢＬに定義された１０：００−１５：００の範囲内かを判断する。この結果、範囲内の場合には、Ｔ０１０＿ＴＢＬ（２０６）より照明制御装置１０が実行すべきルールとしてルールＦを特定する。すなわち、予め定められた照明Gr毎に、つまり、実行すべき間隔をあけて点灯させるルールを特定する。そして、当該ルールが示す制御内容を照明制御装置１０に対して送信する。この結果、Ｓ０３において、照明制御装置１０が送信された制御内容に従った制御を、各照明機器に対して実行する。
【００１４】
次に、Ｓ０４において、座席検知システム２０は、在席（着席）を検知した座席Noを有する座席Grの在席（着席）状況を確認する。つまり、図４に示す座席Gr着席状況管理テーブルＴ００４＿ＴＢＬに定義された座席Grの着席数が３人未満か３人以上かを判断する。この結果、３人未満の場合にはＳ０５に進む。３人以上の場合には、照明装置１０に対してＴ０１０＿ＴＢＬより対応するルールＷを特定する。ルールＷは在席（着席）を検知した在席Noを有する座席Grに対応する各照明を点灯させるルールを特定する。そして、当該ルールＷが示す制御内容を照明制御装置１０に対して送信する。
【００１５】
本実施形態では在席（着席）を検知した座席Noとして１００１を用いる。
この結果、Ｓ０４−１において、照明制御装置１０が送信された制御内容に従った制御、すなわち、特定された座席Grに対応する照明Grを点灯させる制御内容に沿った制御を、各照明機器に対して実行する。
【００１６】
次に、Ｓ０５において、在席検知システム２０は、在席（着席）を検知した座席Noに対応する照明位置（最寄）の点灯状況を確認する。つまり、座席No１００１、図４に示すＴ００２＿ＴＢＬから座席No１００１に対応する照明位置（最寄）の照明Noを特定する。そして、図４に示すＴ００３＿ＴＢＬに定義された当該照明Noの状態が点灯か消燈かを判断する。
【００１７】
本例ではＴ００２＿ＴＢＬより座席No１００１に対応する照明位置（最寄）は照明ａであることが特定できる。さらに、Ｔ００３＿ＴＢＬより照明ａの点灯状況が０であることが判断できる。この結果、点灯していた場合には、Ｓ０１に戻り確認を継続する。消燈していた場合には、Ｓ０６に進む。
本例では、照明ａが点灯していないため、Ｓ０６に進む。
【００１８】
次に、Ｓ０６において、在席検知システム２０が在席（着席）を検知した座席No１００１に対応する照明位置（近距離）を確認する。すなわち、在席検知システム２０が在席（着席）を検知した座席No１００１に対応する照明位置（近距離）を確認する方法として、在席No１００１の上下２レコードの照明位置（最寄）に対応する照明Noを確認する。つまり、図４に示すＴ００２＿ＴＢＬから座席No１００１に対応する照明位置（近距離）の照明Noを特定する。そして、Ｔ００３＿ＴＢＬより当該照明Noの状態が点灯か消燈かを判断する。
【００１９】
この結果、照明位置（近距離）の照明が点灯していた場合にはＳ０１に戻り確認を継続する。消燈していた場合には、Ｓ０７に進む。
本例では、照明位置（近距離）の照明Noがｂと特定され、状態は０であることが判断される。
【００２０】
次に、Ｓ０７において、在席検知システム２０が、在席（着席）を検知した座席No１００１を有する座席GrＡ００１について、図４に示すＴ００５＿ＴＢＬの点灯数が０か０以外かを確認する。
【００２１】
この結果、当該照明Noを有する照明Grにおいて1つも照明が点灯していない場合、つまり、図４に示すＴ００５＿ＴＢＬの点灯数が０の場合には、照明装置１０に対してＴ０１０＿ＴＢＬより対応するルールＸを特定する。ルールＸは在席（着席）を検知した在席No１００１に対応する照明位置（最寄）の照明Noを点灯させるルールＸを特定する。そして、当該ルールＸが示す制御内容を照明制御装置１０に対して送信する。そして、Ｓ０８−１において、照明制御装置１０が送信された制御内容に従った制御を、各照明機器に対して実行する。1つ以上照明が点灯していた場合には、Ｓ０８に進む。対して、点灯数が０と判断された場合にはＳ０８−１に進む。
【００２２】
本例では、在席検知システム２０が、図４に示すＴ００５＿ＴＢＬより在席（着席）を検知した座席No１００１の属する座席GrＡ００１の点灯数が１とされる。
【００２３】
次に、Ｓ０８において、在席検知システム２０が座席No１００１に対応する照明位置（近距離）と、既に点灯している照明Noｃの照明位置（近距離）が同一かを判断する。
つまり、図４に示すＴ００３＿ＴＢＬより既に点灯している照明、つまり、点灯状況が‘１’の照明Noの上下１レコードの点灯状況と当該座席Noに対応する照明位置（最寄）の上下１レコードを特定する。この時、隣接するレコードが異なる座席Grに属していた場合、同一の座席Grに属するレコードの点灯状況のみを確認する。つまり、異なる座席Grの点灯状況がいずれを示しても制御に影響しない。あるいは、照明（通路）を座席GrＡ００１に隣接する照明として、予め設定していた場合は、照明（通路）の照明Noを照明位置（近距離）として判断することを可能とする。
【００２４】
この結果、図４に示すＴ００２＿ＴＢＬにより在席（着席）を検知した座席No１００１の照明位置（最寄）である照明Noａの照明の下１レコード確認する。つまり、上下１レコードで点灯している照明Noが存在した場合には、照明制御装置１０に対する制御ルールとしてルールＹ、ルールＺを特定する。
【００２５】
ルールＹは、図４に示すＴ００２＿ＴＢＬにより在席（着席）を検知した座席Noを特定し、当該座席Noと既在席（着席）が検知されている座席Noの間に存在するレコードの照明位置（最寄）に対応する照明Noを点灯させるルールＹを特定するものである。この時、図４に示すＴ００２＿ＴＢＬにより在席（着席）を検知した座席Noに対応する照明位置（最寄）の照明Noが異なるもののみを特定する。そして、当該ルールＹが示す制御内容を照明制御装置１０に対して送信する。ルールＺは、図４に示すＴ００２＿ＴＢＬにより在席（着席）を検知した座席Noを特定し、当該座席Noに対応する照明位置（最寄）の照明Noを消燈させるルールＺを特定するものである。そして、当該ルールＹ、ルールＺが示す制御内容を照明制御装置１０に対して送信する。
【００２６】
この結果、Ｓ０８−２において照明制御装置１０が送信された制御内容に従った制御、当該座席Noに対応する照明（最寄）を点灯する制御を各照明機器に対して実行する。
対して、重複する照明Noが存在しなかった場合には、Ｓ０８―１に進む
以上の流れより、本例では、図４に示すＴ００２＿ＴＢＬにより在席（着席）を検知した座席No１００１に対応する照明位置（近距離）の照明Noであるｂが点灯し、照明Noｃが消燈する。
【符号の説明】
【００２７】
１０…照明制御装置、２０…在席状況検知システム
【図１】
0005743949.tif 000002
【図２】
0005743949.tif 000003
【図３】
0005743949.tif 000004
【図４】
0005743949.tif 000005